(57)【要約】【課題】ボールペンでさっと書き留めたことを、後でパソコンに入力するのは面倒臭いが、パソコンで整理しないと二次利用が出来ない。ちょっとしたアイデアを書き留めるために、パソコンを立ち上げるのもイライラする、ＰＤＡを持ち歩くのも大変である。絶えず持ち歩ける超軽量のボールペン付手書き文字軌跡記録装置が欲しい。【解決手段】以上の課題を解決するために、大体２０ｇ位の超軽量のボールペン付手書き文字軌跡記録装置を発明した。重量を出来るだけ軽くするにはバッテリーを軽くしなければならないため５ｇ位の軽量バッテリーを使用する。軽量バッテリーで動くように、バッテリーを消耗する手書き文字の認識ソフトは内蔵せず、手書き中のワイヤレスでのデータ送信も行わない。手書き文字軌跡を正確に記録するために高精度の計時機構と、高級機ではデータ補完用の三次元感圧センサーを持つ。  【選択図】図１
2008059230.tif 000002
【特許請求の範囲】
【請求項１】
ボールペンが付いた超軽量の手書き文字軌跡記録装置。
【請求項２】
請求項１にアッタチメントとして追加しマウス機能を付加する、クリックボタンとワイヤレス通信のユニット。
【請求項３】
ワイヤレスで手書き文字軌跡を、パソコンに送信し文字変換後パソコン画面に訳を表示し、電子辞書として使用するシステム。
【発明の詳細な説明】
【技術分野】
【０００１】
ペン型マウス、手書き文字認識ソフト。
【背景技術】
【０００２】
ペン型マウス、三次元測定器。
【特許文献１】特許番号３０６４８７６
【発明の開示】
【発明が解決しようとする課題】
【０００３】
ボールペンでさっと書き留めたことを、後でパソコンに入力するのは面倒臭いが、メモは紛失し易いのでパソコンで整理しないと後々に二次利用が出来ない。ちょっとしたアイデアを書き留めるために、パソコンを立ち上げるのもイライラする、ＰＤＡを持ち歩くのも大変である。絶えず持ち歩ける超軽量のボールペン付手書き文字軌跡記録装置が欲しい。
【課題を解決するための手段】
【０００４】
大体２０ｇ位の超軽量のボールペン付手書き文字軌跡記録装置を発明した。重量を出来るだけ軽くするにはバッテリーを軽くしなければならないため５ｇ位の軽量バッテリーを使用する。軽量バッテリーで動くように、バッテリーを消耗する手書き文字の認識ソフトは内蔵せず、手書き中のワイヤレスでのデータ送信も行わない。手書き文字軌跡を正確に記録するために高精度の計時機構を持ち、高級機ではデータ補完用の三次元感圧センサーを持つ。
【発明の効果】
【０００５】
ボールペンとして絶えず持ち歩け筆記出来ると同時に、特に違和感もなく文字軌跡をベクトルデータで記録出来る。パソコンに入力し保管するための手書き文字の漢字への変換作業は、思考の停止と停滞を招きやすいが、本発明では使用時は、単に手書き文字軌跡を記録するだけで、文字への変換は後で実施するために、思考が停止することがない。
【発明を実施するための最良の形態】
【０００６】
本発明の外見は、青色ＬＥＤ使用のピックアップ部分が先端にある以外普通のボールペンである。ノックボタンを押し下げると、ボールペンの芯が出て、同時に青色ＬＥＤが点灯しペン型マウスの使用しての描画と同様の機構で手書き文字の軌跡記録がベクトルデータで可能となる。内蔵の高精度の計時機構を使い手書き文字軌跡を正確に記録する。その際にはボールペン軸に密着させた三次元感圧センサーからの情報も併用し認識精度を上げる。この高級機でのデータ補完用センサーは精度補完データの収集用のため、三次元測定器程の精度はない。筆記後は充電及び通信機能を備えたペン立て型スタンドにセットすると、時間情報とともに手書き文字の軌跡記録が一塊で、有線又は無線でパソコンやスタンドのメモリーに送信され、同時に手書き文字軌跡記録装置の電池に充電が行われる。手書き文字軌跡は特許番号３０６４８７６のような筆跡の撮像より必要なメモリー量は少ない。パソコンに送られた情報は、専用の認識ソフトにより翻訳後ログ形式で保管され、必要に応じて二次以降の使用が実施される。専用の認識ソフトはＡＩ機能や添削時の学習機能を使用して書き癖に合わせることで変換効率と、正確性をどんどん高める。スタンドからボールペン付手書き文字軌跡記録装置のサンプリング条件も常に最適化を指令し、内蔵時計の補正も行う。本発明の主要構成要素は、ボールペン、青色ＬＥＤを使用するピックアップ、３次元感圧センサー、充電式軽量バッテリー、計時機構付きＣＰＵ、クリップ式アンテナ、ＵＳＢメモリーのようなメモリーなどである。メモリーサイズは複数の中より選べるが、１ＧＢ位は簡単に保管出来る。筆記の邪魔にならぬようにピックアップは出来るだけスマートで清掃が容易な形状とする。重量を普通のボールペンとほぼ同じ大体２０ｇ位の超軽量とするために、他の同様の装置、特許番号３０６４８７６が持つような手書き文字の認識ソフトは内蔵しない。ペン型マウスで多くあるバッテリーを消耗する手書き中のワイヤレスでのデータ送信も行わない。これらの特徴のため、５ｇ位の軽量な充電式バッテリーを使用出来、軽量化が実現される。波長が短く細かい情報が入力出来る青色ダイオードを発光部分に使用するため読み取り光学解像度は１０００ＤＰＩ以上となる。電池切れの場合は簡単に予備バッテリーに交換し、作業を継続出来る構造を持つ。ボールペンのボールが支点となり、滑らかに使用出来る。マウスと異なり手書き文字の軌跡記録に特化したピックアップ部分は、書き手の癖に合わせて微調整を可能とする。筆記時のボールペンの角度が大きく標準と異なる場合には、先端ユニットを交換して対応する。アッタチメントとして追加するクリックボタンとワイヤレス通信のユニットは、重量が重くなるため、あまり推奨は出来ない。
【０００７】
「実施形態の効果」
ボールペンで書いた文字が残るため、万一電子データが失われても大半の情報が残る。絶えず持ち歩くボールペンのため、災害時の非難用照明に転用することが出来る。高価なものではないので、複数の本発明を使用出来るが、計時機能を持つために、データの整理は容易である。手書き文字の軌跡記録に特化しているので、高性能なＣＰＵが必要でなく安く出来る。専用の認識ソフトによるログ形式への変換は即時性が要求されないためパソコンの負担が軽い、ＡＩ機能や学習機能を使用して、書き癖に合わせることで変換効率と、正確性をどんどん高めることが出来る。書き手一人一人の情報を元に変換するため、データの安全性が高い。サンプリング条件も常に最適化する。
【０００８】
「他の実施形態」
ノック式ボールペンが基本形だが、キャップ式の形態も考えられる。机など電源が近傍にある場合は、ワイヤレスで手書き文字軌跡を、充電スタンド又はパソコンに送信も可能とする。
【図面の簡単な説明】
【０００９】
【図１】本発明の斜視図。
【図２】本発明の断面図。
【符号の説明】
【００１０】
「図１」における符号
１  ボールペン軸先端                      ２  高保持形状グリップ
３  通信アンテナ兼用のクリップ            ４  ノックボタン
５  軽量高強度胴軸                        ６  ピックアップユニット
７  書き手の癖に合わせての微調整可能な、ピックアップスカート部
「図２」における符号
１  三次元型ボールペン軸周辺感圧センサー  ２  ボールペン軸スプリング
３  静電充電端子（ペン立て型スタンド専用）４  アンテナ兼用のクリップ
５  ボールペン軸固定機構部                ６  メモリー
７  計時機構付きＣＰＵ                    ８  交換容易な充電バッテリー
９  青色ＬＥＤ発光部                      １０  ピックアップ
１１  ピックアップレンズ                  １２  微調整可能なスカート部
【図１】
2008059230.tif 000003
【図２】
2008059230.tif 000004